(57)【要約】【課題】温度変化がある場合にも良好な結像特性が維持されるレンズユニットを得る。【解決手段】第２レンズＬ２〜接合レンズＬ６０（第７レンズＬ７）のうち、鏡筒１０に対して、光軸Ａに沿った方向での移動が直接制限されるのは、接合レンズＬ６０のみであり、かつその像側への移動のみが制限される。このように第２レンズＬ２から接合レンズ（第７レンズＬ７）までを光軸Ａに沿った方向で一体化しているため、これらの各レンズ間の光軸Ａに沿った位置関係は、温度変動がある場合においても固定される。一方、温度変動による熱膨張差に起因した力がこのように一体化された複数のレンズに加わり、かつこのように一体化された構造が像側で第２載置部１２で係止された場合、第２レンズＬ２の物体側の面の温度変動による移動量が大きくなる。弾性部材３０がこの移動量（力）を吸収することができる。【選択図】図１
2020154119.tif 000002
【特許請求の範囲】
【請求項１】
物体側から像側にかけて光軸に沿って、最も物体側となる第１レンズ、当該第１レンズと像側で隣接する第２レンズ、最も像側となる像側レンズを含む複数のレンズが積層されて鏡筒に対して固定され、前記像側レンズよりも像側にある像面に撮像対象の像を結像させるレンズユニットであって、
前記鏡筒には、前記第１レンズを物体側から像側に向けて収容する第１収容部と、前記第１収容部よりも像側に設けられ前記像側レンズを収容する第２収容部と、が設けられ、
前記第１レンズは、前記鏡筒に形成された第１レンズ係止部によって物体側で係止され、
前記像側レンズは、前記第２収容部の像側の底面である載置面に像側で係止され、
前記第２レンズは、前記光軸方向において、直接的あるいは他の前記レンズを介して間接的に前記像側レンズと当接し、
前記光軸方向において、前記第１レンズと前記第２レンズの間には前記第１レンズ及び前記第２レンズと接する弾性部材が配されたことを特徴とするレンズユニット。
【請求項２】
前記鏡筒は結晶性プラスチックで構成され、
複数の前記レンズの中に、
前記光軸方向において、前記第１レンズと前記像側レンズの間に配され、前記光軸の周りの外周部が前記鏡筒と接することにより前記鏡筒に対する前記光軸と垂直な方向における位置関係が定まる接触レンズと、
前記光軸方向において、前記第１レンズと前記像側レンズの間に配され、前記外周部が前記鏡筒と非接触とされ、非晶性プラスチックで構成された非接触レンズと、
が設けられ、
前記接触レンズと前記非接触レンズとが前記光軸方向において隣接し、
当該接触レンズの当該非接触レンズ側の面に形成された係合構造と、当該非接触レンズの当該接触レンズ側の面に形成された係合構造とが係合することによって、前記鏡筒に対する当該非接触レンズの前記光軸と垂直な方向における位置関係が定まる構成とされたことを特徴とする請求項１に記載のレンズユニット。
【請求項３】
２つの前記非接触レンズが前記光軸方向において隣接し、前記２つの前記非接触レンズにおける対向する面に形成された係合構造同士が係合することにより、前記２つの非接触レンズ同士の前記光軸と垂直な方向における位置関係が定まり、かつ前記２つの前記非接触レンズのうちの一方が前記接触レンズと隣接することにより、当該接触レンズに対する前記一方の前記非接触レンズの前記光軸と垂直な方向における位置関係が定まる構成とされたことを特徴とする請求項２に記載のレンズユニット。
【請求項４】
前記係合構造は、前記光軸と平行な面と前記光軸と交差する面で形成された段差部であることを特徴とする請求項２又は３に記載のレンズユニット。
【請求項５】
前記接触レンズにおいて、前記外周部における前記鏡筒と接する部分である圧入部と、前記係合構造とは、前記光軸方向、及び前記光軸からみた径方向において、異なる位置に設けられたことを特徴とする請求項２から請求項４までのいずれか１項に記載のレンズユニット。
【請求項６】
前記接触レンズにおける前記光軸を中心とした外径が物体側から像側に向けて小さくなるように設定された外周面が、前記鏡筒と接することを特徴とする請求項２から請求項５までのいずれか１項に記載のレンズユニット。
【請求項７】
前記接触レンズは、ガラスレンズと、当該ガラスレンズを前記光軸の外側から支持し前記外周面を有する樹脂材料製のレンズホルダと、を具備することを特徴とする請求項６に記載のレンズユニット。
【請求項８】
前記非接触レンズとして、前記第２レンズの像側で前記第２レンズと隣接する第３レンズと、前記接触レンズの物体側で当該接触レンズと隣接し、かつ前記第３レンズの像側で前記第３レンズと隣接する第４レンズを具備し、
前記像側レンズは、前記接触レンズの像側で前記接触レンズと隣接することを特徴とする請求項２から請求項７までのいずれか１項に記載のレンズユニット。
【請求項９】
前記像側レンズは、２つのプラスチックレンズが前記光軸方向で接合された接合レンズであることを特徴とする請求項８に記載のレンズユニット。
【発明の詳細な説明】
【技術分野】
【０００１】
本発明は、複数のレンズと、これらを外側で固定する鏡筒とを具備するレンズユニットに関する。
【背景技術】
【０００２】
例えば、自動車、監視カメラ等に搭載される撮像装置において使用される光学系として、物体側から像側（撮像素子側）に至るまでの間に複数のレンズを光軸（撮像装置の光軸）方向に配したレンズユニットが使用されている。このレンズユニットは可視光による物体の画像を撮像素子上に良好に結像させるように設計される。このため、各レンズ間の位置関係、各レンズと鏡筒間、レンズユニットと撮像素子間の位置関係が高い精度で固定されることが要求される。
【０００３】
一方、複数のレンズの中には、ガラス製のものと樹脂材料（プラスチック）製のものが存在する。また、鏡筒は樹脂材料で構成されるが、この材料は樹脂材料製のレンズにおいて用いられたものとは異なる場合もある。この場合、隣接する各レンズの間、各レンズと鏡筒の間には熱膨張率の差が存在する。このため、温度が変動する環境下で上記のような高い位置精度を維持することは容易ではない。このためには、例えば、複数のレンズのうち、選択されたいずれかのレンズのみを鏡筒に直接固定し、隣接するレンズ同士を接触させることにより他のレンズを鏡筒には間接的に固定させる構成が用いられる。
【０００４】
一般的に、レンズは、鏡筒に設けられたレンズ収容部に物体側から像側に向けて収容された形態で固定される。このため、最も像側のレンズは、収容部の底面で係止されることによって固定される。また、例えば撮像装置においては、最も物体側（撮像素子から最も遠い側）にある第１レンズとしては、使用されるレンズの中では最も大径のガラス製の魚眼レンズが用いられる場合が多く、この場合、第１レンズが鏡筒に固定される場合が多い。第１レンズの固定は、第１レンズの外周部と鏡筒の間を互いに機械的に係合させるカシメ構造により行うことができる。この場合、隣接するレンズ同士を接触させれば、第１レンズから最も像側のレンズまでが一体化されたレンズ系の物体側への移動はカシメ構造により抑制され、このレンズ系の像側への移動はレンズ収容部の底面で抑制されるため、結局、レンズ系全体を鏡筒に対して固定することができる。
【０００５】
しかしながら、この構成の場合には、熱膨張差に起因してレンズ系は物体側に移動することがあるため、物体側のカシメ構造にこの際の負荷が集中する。この場合、特に樹脂材料で構成された鏡筒側のカシメ部が大きな力を受けて塑性変形をする場合があった。塑性変形後は、カシメ構造においてガタが発生し、第１レンズ及びレンズ系全体の位置精度が劣化した。
【０００６】
このため、特許文献１に記載の構造においては、上記のカシメ部と同様に、第１レンズの端部付近を物体側で係止する係止部が鏡筒に設けられると共に、最も像側のレンズとレンズ収容部の底面の間には板ばねが設けられる。また、前記と同様に、隣接するレンズ同士が光軸方向で接することによりレンズ系が構成される点は前記と同様である。これにより、レンズ系（第１レンズ）は物体側に板バネにより付勢された状態で物体側の係止部で係止される。一方、上記のような熱膨張差に起因してレンズ系に光軸方向の力が印加された場合（レンズ系が光軸方向で膨張した場合）でも、この力（膨張量）は板バネによって吸収され、第１レンズを係止する係止部に加わる力が低減される。このため、第１レンズは安定して鏡筒に固定される。
【先行技術文献】
【特許文献】
【０００７】
【特許文献１】特開２０１７−１５７８６号公報
【発明の概要】
【発明が解決しようとする課題】
【０００８】
特許文献１に記載のレンズユニットにおいては、最も像側のレンズが像側で板バネを介して底面に係止されるため、温度変化に際して、最も像側のレンズの像側の面と撮像素子までの光軸方向の距離が変動する。この際、前記のようにこのレンズ系が物体側の係止部で係止され、かつ隣接するレンズ間の位置関係が固定されていれば、最も像側のレンズの像側の面と撮像素子までの距離の変動量は特に大きくなる。
【０００９】
一方、最も像側にある（最も撮像素子に近い）レンズの像側の面と撮像素子までの光軸方向の距離は、レンズ系の結像特性に特に大きな影響を及ぼす。このため、上記の構成においては、各レンズ間の位置関係は維持されるものの、温度変化に際して、結像特性が不安定となり良好な画像が得られない場合があった。
【００１０】
本発明は、このような状況に鑑みなされたもので、温度変化がある場合にも良好な結像特性が維持されるレンズユニットを提供することを目的とする。
【課題を解決するための手段】
【００１１】
本発明に係るレンズユニットは、物体側から像側にかけて光軸に沿って、最も物体側となる第１レンズ、当該第１レンズと像側で隣接する第２レンズ、最も像側となる像側レンズを含む複数のレンズが積層されて鏡筒に対して固定され、前記像側レンズよりも像側にある像面に撮像対象の像を結像させるレンズユニットであって、前記鏡筒には、前記第１レンズを物体側から像側に向けて収容する第１収容部と、前記第１収容部よりも像側に設けられ前記像側レンズを収容する第２収容部と、が設けられ、前記第１レンズは、前記鏡筒に形成された第１レンズ係止部によって物体側で係止され、前記像側レンズは、前記第２収容部の像側の底面である載置面に像側で係止され、前記第２レンズは、前記光軸方向において、直接的あるいは他の前記レンズを介して間接的に前記像側レンズと当接し、前記光軸方向において、前記第１レンズと前記第２レンズの間には前記第１レンズ及び前記第２レンズと接する弾性部材が配されている。
【００１２】
この構成においては、第１収容部に収容された第１レンズは物体側において第１レンズ係止部に係止される。一方、第２収容部に収容された像側レンズは鏡筒側の載置面により像側で係止され、かつ第２レンズは直接的、あるいは他のレンズを介して間接的に、光軸方向で像側レンズと当接する。このため、第２レンズ及び像側レンズは実質的に像側では載置面で係止されるために、その像側への移動は抑制される。一方、温度変化に際して、第２レンズ、像側レンズを含む複数のレンズが膨張しても、この膨張量が弾性部材で吸収される。このため、温度変化がある場合にもレンズ間にガタが発生することが抑制され、かつ、像面と像側レンズの間の間隔の変動を抑制できるために、良好な結像特性が維持される。
【００１３】
この際、前記鏡筒は結晶性プラスチックで構成され、複数の前記レンズの中に、前記光軸方向において、前記第１レンズと前記像側レンズの間に配され、前記光軸の周りの外周部が前記鏡筒と接することにより前記鏡筒に対する前記光軸と垂直な方向における位置関係が定まる接触レンズと、前記光軸方向において、前記第１レンズと前記像側レンズの間に配され、前記外周部が前記鏡筒と非接触とされ、非晶性プラスチックで構成された非接触レンズと、が設けられ、前記接触レンズと前記非接触レンズとが前記光軸方向において隣接し、当該接触レンズの当該非接触レンズ側の面に形成された係合構造と、当該非接触レンズの当該接触レンズ側の面に形成された係合構造とが係合することによって、前記鏡筒に対する当該非接触レンズの前記光軸と垂直な方向における位置関係が定まってもよい。
【００１４】
この場合、鏡筒と、複数のレンズからなるレンズ系との間には熱膨張差が発生するが、このように接触レンズと非接触レンズをレンズ系において設定することにより、接触レンズの鏡筒に対する光軸に垂直な方向の位置関係を固定することができる一方で、非接触レンズと鏡筒との間の熱膨張差がレンズ系の光軸に垂直な方向の位置関係に及ぼす影響を排除することができる。この際、このように接触レンズと隣接する非接触レンズとの間をこのような係合構造を用いて、非接触レンズの接触レンズあるいは鏡筒に対する光軸に垂直な方向の位置関係を定めることができる。
【００１５】
この際、２つの前記非接触レンズが前記光軸方向において隣接し、前記２つの前記非接触レンズにおける対向する面に形成された係合構造同士が係合することにより、前記２つの非接触レンズ同士の前記光軸と垂直な方向における位置関係が定まり、かつ前記２つの前記非接触レンズのうちの一方が前記接触レンズと隣接することにより、当該接触レンズに対する前記一方の前記非接触レンズの前記光軸と垂直な方向における位置関係が定まってもよい。
この場合には、接触レンズと隣接しない非接触レンズの光軸と垂直な方向における位置が、この非接触レンズと隣接する他の非接触レンズを介して接触レンズによって定まる。このため、レンズ系において、接触レンズの数を少なく、非接触レンズの数を多くすることができ、温度変動がある場合のレンズ系と鏡筒の熱膨張差に起因して、レンズと鏡筒の膨張や収縮の差によりレンズに歪みが発生してしまうことを防ぐことができる。
【００１６】
この際、前記係合構造は、前記光軸と平行な面と前記光軸と交差する面で形成された段差部であってもよい。
これにより、組み立ての際に、レンズの係合構造同士を係合させることが容易となる。
この際、前記接触レンズにおいて、前記外周部における前記鏡筒と接する部分である圧入部と、前記係合構造とは、前記光軸方向、及び前記光軸からみた径方向において、異なる位置に設けられていてもよい。
これにより、接触レンズの圧入時や温度変動があった際に圧入部に力が加わっても、圧入部と係合構造が離間しているため、この係合構造を介して固定される非接触レンズと接触レンズの位置関係はこれによる悪影響を受けにくくなる。
【００１７】
この際、前記接触レンズにおける前記光軸を中心とした外径が物体側から像側に向けて小さくなるように設定された外周面が、前記鏡筒と接する構成とされていてもよい。
これにより、接触レンズの第２収容部への挿入、装着が特に容易となる。
この際、前記接触レンズは、ガラスレンズと、当該ガラスレンズを前記光軸の外側から支持し前記外周面を有する樹脂材料製のレンズホルダと、を具備してもよい。
この構成により、ガラスレンズを用いた場合でも、このガラスレンズとレンズホルダとが一体化されたレンズ体を、樹脂材料製のレンズ（プラスチックレンズ）と同様に扱うことができ、例えばこのレンズ体を接触レンズとして用いることができる。
【００１８】
この際、前記非接触レンズとして、前記第２レンズの像側で前記第２レンズと隣接する第３レンズと、前記接触レンズの物体側で当該接触レンズと隣接し、かつ前記第３レンズの像側で前記第３レンズと隣接する第４レンズを具備し、前記像側レンズは、前記接触レンズの像側で前記接触レンズと隣接してもよい。
また、前記像側レンズは、２つのプラスチックレンズが前記光軸方向で接合された接合レンズであってもよい。
このように第３レンズ、第４レンズ、接合レンズを上記のレンズ系の中で用いることにより、良好な光学特性をもつレンズユニットを形成することができる。
【発明の効果】
【００１９】
本発明によれば、温度変化がある場合にも良好な結像特性が維持されるレンズユニットを得ることができる。
【図面の簡単な説明】
【００２０】
【図１】実施形態に係るレンズユニットの断面図である。
【図２】実施形態に係るレンズユニットで用いられる鏡筒の断面図（ａ）、斜視図（ｂ）である。
【図３】実施形態に係るレンズユニットの分解組立図である。
【図４】実施形態に係るレンズユニットの組立途中の形態（２種類）を示す図である。
【図５】実施形態に係るレンズユニットにおける、非接触レンズ（第４レンズ）と接触レンズ（第５レンズ体）の端部付近の構造を拡大して示す図である。
【発明を実施するための形態】
【００２１】
以下、本発明の実施形態について図面を用いて詳細に説明する。
図１は本実施形態に係るレンズユニット１の、光軸Ａに沿った断面図である。ここでは、物体（Ｏｂ）側は図中上側であり、像（Ｉｍ）側は図中下側であり、撮像素子１００は図中最下部に位置する。レンズＬ１〜Ｌ７の各々は、鏡筒１０に対して直接あるいは間接的に固定される。図１においては、各レンズ間あるいは各レンズと鏡筒１０の間を固定するための構成が主に記載されており、実際には撮像素子１００と鏡筒１０の位置関係を固定するための構造も設けられているが、その記載は省略されている。
【００２２】
撮像素子１００は２次元ＣＭＯＳイメージセンサであり、各画素は光軸Ａと垂直な面内で２次元に配列されており、実際には撮像素子１００はカバーガラス（図示せず）で覆われている。図１において、第１レンズＬ１から第７レンズＬ７を備えるレンズユニット１が構成される。レンズユニット１は、撮像対象の可視光の画像を所望の視野、所望の形態で撮像素子１００上（像面）に結像させるように構成される。
【００２３】
図１において、最も物体側（図中上側）に設けられた第１レンズＬ１は、魚眼レンズであり、主にこれによって、撮像装置の視野等が定まる。これよりも撮像素子１００側（像側）に、第２レンズＬ２、第３レンズＬ３、第４レンズＬ４、第５レンズＬ５、第６レンズＬ６、第７レンズＬ７が順次配置されている。各レンズは、光軸Ａの周りで略対称な形状を具備する。また、実際には光束を制限するための絞り、不要な光を除去するための遮光板も第１レンズＬ１〜第７レンズＬ７までの間に適宜設けられるが、その記載は図１では省略されている。
【００２４】
また、図２（ａ）は、鏡筒１０のみの光軸Ａに沿った断面図、図２（ｂ）は、鏡筒１０を図１における斜め上側（物体側）からみた斜視図である。この鏡筒１０の物体側（図中上側）には、内面が略円筒形状の空洞部である第１収容部１０Ａが設けられ、第１収容部１０Ａの底面は第１レンズＬ１と当接する第１載置部１１である。また、第１載置部１１よりも像側（図中下側）には、第１収容部１０Ａと同軸とされ、第１収容部１０Ａより小径とされた略円筒形状の空洞部である第２収容部１０Ｂが設けられ、第２収容部１０Ｂの底面は像側レンズである後述の接合レンズＬ６０と当接する第２載置部（載置面）１２である。第１収容部１０Ａ、第２収容部１０Ｂの中心軸は共通とされ、光軸Ａと等しい。また、図２（ａ）に示されるように、実際には第２収容部１０Ｂの内面は物体側から像側に向かって徐々に小さくされる。
【００２５】
図１において、各レンズにおける物体側、像側のレンズ面（画像を形成する光が通過する面）は、レンズユニット１が所望の結像特性をもたらすように、適宜曲面（凸曲面、凹曲面）加工されている。以下では、各レンズにおける物体側のレンズ面を第１表面Ｒ１、像側のレンズ面を第２表面Ｒ２と呼称する。また、レンズ面の形状（凸曲面又は凹曲面）としては、第１表面Ｒ１の形状については物体側からみた形状、第２表面Ｒ２の形状については像側からみた形状を、それぞれ意味するものとする。
【００２６】
一般的に、このような小型の撮像装置におけるレンズを構成する材料としては、ガラスと樹脂材料の２種類がある。前者は機械的強度が高いが高価であり、後者は機械的強度は低いが安価である。また、ガラスの熱膨張係数は樹脂材料より小さいため、高温時における熱膨張に起因する形状や位置の微細な変化が結像特性（焦点位置の変化）に与える影響が大きくなるレンズは、ガラス製のレンズとすることが好ましい。このため、レンズユニット１を高性能かつ安価とするためには、ガラス製のものが好ましいレンズのみガラス製とし、他のレンズを樹脂材料製とすることが好ましい。
【００２７】
この観点において、本実施の形態では、最も物体側に配置された第１レンズＬ１は、撮像装置１の最表面に位置するために、傷が付きにくいガラス製のものが好ましく用いられる。また、また、絞り２０と隣接するレンズ（第４レンズＬ４及び第５レンズＬ５）は、温度変化に起因する焦点距離の変化が顕著に表れるため、いずれか一方（本実施の形態では第５レンズＬ５）がガラス製とされる。他のレンズとしては、安価な樹脂材料製のものが用いられる。
【００２８】
第１レンズＬ１は、その物体側のレンズ面Ｌ１Ｒ１が凸曲面、その像側のレンズ面Ｌ１Ｒ２が凹曲面とされた負レンズである。第１レンズＬ１の上面側では、レンズ面Ｌ１Ｒ１がほぼ全体を占めている。第１レンズＬ１の下面側（像側）において、レンズ面Ｌ１Ｒ２の外側には、光軸Ａと垂直な平面で構成された第１レンズ第１下面Ｌ１Ａを備えている。第１レンズ第１下面Ｌ１Ａの更に外側には、第１レンズ第１下面Ｌ１Ａと平行かつ第１下面Ｌ１Ａよりも物体側（図中上側）に位置する第１レンズ第２下面Ｌ１Ｂが設けられる。また、第１レンズＬ１の最外周部は、光軸Ａを中心軸とする円筒形状の第１レンズ外周面Ｌ１Ｃを構成する。これらの面のうち、光学的に使用されるのは、レンズ面Ｌ１Ｒ１、Ｌ１Ｒ２であり、他の面は、第１レンズＬ１を鏡筒１０に対して固定するために用いられる。
【００２９】
図１において、鏡筒１０の上端側は、第１レンズＬ１の物体側への移動を規制するように光軸Ａ（中心）側に向かって屈曲した第１レンズ係止部１３となっている。また、第１レンズ第１下面Ｌ１Ａは、鏡筒１０側の第１載置面１１と当接する。このため、第１レンズＬ１の鏡筒１０に対する光軸Ａ方向における位置関係は、物体側（図中上側）では第１レンズ係止部１３によって定まり、像側（図中下側）では第１載置面１１により定まる。この際、第１レンズ第１下面Ｌ１Ａよりも外側においては、第１レンズ第２下面Ｌ１Ｂと第１載置面１１との隙間に、光軸Ａ方向と垂直な方向で圧縮されて弾性変形したリング状のＯリング２０が配されることにより、鏡筒１０内部における防水機能が得られる。なお、上記のような第１レンズ係止部１３の形状は、第１レンズｌ１を鏡筒１０に固定するために加工した後の形状であり、固定前における鏡筒１０の上端部側の形状は、図２（ａ）に示されるように、上側から第１レンズＬ１を図１に示されるように鏡筒１０内に挿入可能な形状とされる。
【００３０】
また、第１レンズ外周面Ｌ１Ｃは、鏡筒１０における第１収容部１０Ａの内周面と当接する。これによって、第１レンズＬ１と鏡筒１０の光軸Ａと垂直な方向における位置関係が定まる。すなわち、上記の構成により、第１レンズＬ１は鏡筒１０に対して固定される。
【００３１】
第２レンズＬ２は、その物体側のレンズ面Ｌ２Ｒ１が凸曲面、その像側のレンズ面Ｌ２Ｒ２が凹曲面とされた負レンズである。第２レンズＬ２の物体側（図中上側）において、レンズ面Ｌ２Ｒ１よりも外側には、光軸Ａと垂直でありレンズ面Ｌ１Ｒ１よりも像側（図中下側）に位置する平面である第２レンズ第１上面Ｌ２Ａが設けられる。また、第２レンズＬ２の像側（図中下側）において、レンズ面Ｌ２Ｒ２よりも外側には、光軸Ａと平行な面及び垂直な面で構成された段差部（係合構造）Ｌ２Ｂが設けられる。第２レンズＬ２の最外周を構成する面である第２レンズ外周面Ｌ２Ｃは、第２収容部１０Ｂの内面と当接する。第２レンズ外周面Ｌ２Ｃは、その光軸Ａ周りの内径が像側に向かって徐々に小さくなるような略円錐面形状に形成されている。これにより、第２レンズＬ２と鏡筒１０の光軸Ａと垂直な方向における位置関係は定まる。
【００３２】
また、第１載置面１１よりも内側（光軸Ａに近い側）かつレンズ面Ｌ１Ｒ２及びレンズ面Ｌ２Ｒ１よりも外側の領域において、第２レンズ第１上面Ｌ２Ａと第１レンズ第２下面Ｌ１Ｂの間には、弾性体で構成され、かつ光軸Ａ方向で薄い弾性部材３０が配されている。すなわち、第１レンズＬ１と第２レンズＬ２は光軸Ａに沿った方向では直接接さず、これらの間には弾性部材３０が設けられている。
【００３３】
第３レンズＬ３は、その物体側のレンズ面Ｌ３Ｒ１が凹曲面、その像側のレンズ面Ｌ３Ｒ２が凸曲面とされた正レンズである。第３レンズＬ３の物体側（図中上側）において、レンズ面Ｌ３Ｒ１の外側に、第２レンズＬ２における段差部Ｌ２Ｂと係合するように形成された段差部（係合構造）Ｌ３Ａが設けられる。また、第３レンズＬ３の像側（図中下側）において、レンズ面Ｌ３Ｒ２よりも外側には、光軸Ａと平行な面及び垂直な面で構成された段差部（係合構造）Ｌ３Ｂが設けられる。また、第３レンズＬ３の最外周を構成する略円筒形状の面である第３レンズ外周面Ｌ３Ｃは、第２収容部１０Ｂの内面とは非接触とされる。
【００３４】
第４レンズＬ４は、その物体側の面Ｌ４Ｒ１が凹曲面、その像側の面Ｌ４Ｒ２が凸曲面とされた正レンズである。第４レンズＬ４の物体側（図中上側）において、レンズ面Ｌ４Ｒ１の外側には、第３レンズＬ３における段差部Ｌ３Ｂと係合するように形成された段差部（係合構造）Ｌ４Ａが設けられる。また、第４レンズＬ４の像側（図中下側）において、レンズ面Ｌ４Ｒ２よりも外側には、光軸Ａと平行な面及び垂直な面で構成された段差部（係合構造）Ｌ４Ｂが設けられる。また、第４レンズＬ４の最外周を構成する略円筒形状の面である第４レンズ外周面Ｌ４Ｃは、第２収容部１０Ｂの内面とは非接触とされる。すなわち、第３レンズＬ３、第４レンズＬ４は鏡筒１０とは非接触とされる。
【００３５】
前記の通り、第５レンズＬ５はガラス製であり、その物体側の面Ｌ５Ｒ１が凸曲面、その像側の面Ｌ５Ｒ２が凸曲面とされた正レンズである。ただし、第５レンズＬ５は、他のレンズとは異なり、樹脂材料製のレンズホルダ５１に圧入固定されて一体化された第５レンズ体Ｌ５０とされた状態で鏡筒１０に収容される。すなわち、第５レンズＬ５は、第５レンズ体Ｌ５０となった状態で、樹脂材料製である第３レンズＬ３、第４レンズＬ４と同様にレンズとして扱われる。
【００３６】
第５レンズ体Ｌ５０の物体側（図中上側）において、第５レンズＬ５の外側のレンズホルダ５１には、第４レンズＬ４における段差部Ｌ４Ｂと係合するように形成された段差部（係合構造）Ｌ５０Ａが設けられる。また、第５レンズ体Ｌ５０の像側（図中下側）において、第５レンズＬ５よりも外側には、周囲よりも像側（図中下側）に向かって局所的に突出した突出部Ｌ５０Ｂが設けられる。また、第５レンズ体Ｌ５０の最外周を構成する面である第５レンズ体外周面Ｌ５０Ｃは、第２収容部１０Ｂの内面と当接する。第５レンズ体外周面Ｌ５０Ｃは、その光軸Ａ周りの内径が像側に向かって徐々に小さくなるような略円錐面形状に形成されている。これにより、第５レンズ体Ｌ５０（第５レンズＬ５）と鏡筒１０の光軸Ａと垂直な方向における位置関係は定まる。
【００３７】
第６レンズＬ６は、その物体側の面Ｌ６Ｒ１が凹曲面、その像側の面Ｌ６Ｒ２が凹曲面とされた負レンズである。第７レンズＬ７は、外径が第６レンズＬ６よりも小さく、その物体側の面Ｌ７Ｒ１が凸曲面、その像側の面Ｌ７Ｒ２が凸曲面とされた正レンズである。また、第６レンズＬ６、第７レンズＬ７は対向するレンズ面が嵌合して接合されることにより、最も像側にある接合レンズ（像側レンズ）Ｌ６０を構成するように設定される。つまり、実質的に最も像側のレンズとなる像側レンズは、第６レンズＬ６の像側のレンズ面Ｌ６Ｒ２と第７レンズＬ７の物体側のレンズ面Ｌ７Ｒ１とが嵌合して接合された接合レンズＬ６０となる。
【００３８】
接合レンズＬ６０（第６レンズＬ６）の物体側（図中上側）において、レンズ面Ｌ６Ｒ１の外側には、第５レンズ体Ｌ５０における突出部Ｌ５０Ｂと当接する平面である接合レンズ上面Ｌ６Ａが設けられる。また、接合レンズＬ６（第６レンズＬ６）の像側（図中下側）において、レンズ面Ｌ７Ｒ２よりも外側には、光軸Ａと垂直な平面である接合レンズ下面Ｌ６Ｂが設けられる。接合レンズ下面Ｌ６Ｂは、第２載置部（載置面）１２と当接する。接合レンズＬ６０（第６レンズＬ６）の最外周を構成する面である第６レンズ外周面Ｌ６Ｃは、第２収容部１０Ｂの内面と当接する。第６レンズ外周面Ｌ６Ｃは、その光軸Ａ周りの内径が像側に向かって徐々に小さくなるような略円錐面形状に形成されている。このため、接合レンズＬ６０の光軸Ａに沿った方向における位置は、像側では鏡筒１０（第２載置部１２）によって制限される。
【００３９】
この場合、第５レンズ体Ｌ５０（突出部Ｌ５０Ｂ）は像側で接合レンズＬ６０に係止されるため、第５レンズ体Ｌ５０の光軸Ａに沿った方向における位置は、像側では接合レンズＬ６０を介して第２載置部１２（鏡筒１０）によって制限される。
【００４０】
また、前記の構成により、第４レンズＬ４の光軸Ａに沿った方向における位置は、段差部Ｌ４Ｂと段差部Ｌ５０Ａが係合することによって、像側では第５レンズ体Ｌ５０、接合レンズＬ６０を介して鏡筒１０によって制限される。一方、第４レンズＬ４の光軸Ａと垂直な方向における位置は、段差部Ｌ４Ｂと段差部Ｌ５０Ａが係合することによって、第５レンズ体Ｌ５０を介して第２収容部１０Ｂの内周面により定まる。同様に、第３レンズＬ３の光軸Ａに沿った方向における位置は、段差部Ｌ３Ｂと段差部Ｌ４Ａが係合することによって、像側では第４レンズＬ４、第５レンズ体Ｌ５０、接合レンズＬ６０を介して鏡筒１０によって制限される。一方、第３レンズＬ３の光軸Ａと垂直な方向における位置は、段差部Ｌ３Ｂと段差部Ｌ４Ａが係合することによって、第４レンズＬ４、第５レンズ体Ｌ５０を介して第２収容部１０Ｂの内面により定まる。
【００４１】
また、前記の構成により、第２レンズＬ２の光軸Ａに沿った方向における位置は、段差部Ｌ２Ｂと段差部Ｌ３Ａが係合することによって、像側では第３レンズＬ３、第４レンズＬ４、第５レンズ体Ｌ５０、接合レンズＬ６０を介して鏡筒１０によって制限される。一方、第２レンズＬ２の光軸Ａと垂直な方向における位置は、前記の通り、第２収容部１０Ｂの内面により定まる。
【００４２】
すなわち、上記の構成において、第２レンズＬ２〜接合レンズＬ６０（第７レンズＬ７）のうち、第２レンズＬ２、第５レンズＬ５（第５レンズ体Ｌ５０）、接合レンズＬ６０は、その外周部が鏡筒１０における第２収容部１０Ｂの内周面と当接する接触レンズとなる。これらの接触レンズは、これにより、光軸Ａと垂直な方向における鏡筒１０との間の位置関係が固定される。一方、第３レンズＬ３、第４レンズＬ４は、第２収容部１０Ｂの内周面とは直接接触しない非接触レンズとなる。非接触レンズは、上記のような段差部（係合構造）を介してその物体側、像側の接触レンズと直接あるいは間接的に係合することによって接触レンズとの間の光軸Ａと垂直な方向における位置関係が固定されることによって、この方向での鏡筒１０との間の位置関係が固定される。これにより、第２レンズＬ２〜接合レンズＬ６０（第７レンズＬ７）の全ての、光軸Ａと垂直な方向における鏡筒１０との間の位置関係が固定される。
【００４３】
一方、上記の構成においては、第２レンズＬ２〜接合レンズＬ６０（第７レンズＬ７）のうち、鏡筒１０に対して、光軸Ａに沿った方向での移動が直接制限されるのは、接合レンズＬ６０のみであり、かつその像側への移動のみが制限される。一方、第５レンズ体Ｌ５０、第４レンズＬ４、第３レンズＬ３、第２レンズＬ５は、光軸Ａの方向において隣接するレンズと当接し、かつ第２レンズＬ２が弾性部材３０により像側に付勢されていれば、その光軸Ａに沿った方向での位置は、接合レンズＬ６０及び第２載置部１２により定まる。
【００４４】
上記のレンズユニット１においては、このように第２レンズＬ２から接合レンズ（第７レンズＬ７）までを光軸Ａに沿った方向で一体化しているため、これらの各レンズ間の光軸Ａに沿った位置関係は、温度変動がある場合においても固定される。一方、温度変動による熱膨張差に起因した光軸Ａに沿った方向の力がこのように一体化された複数のレンズに加わり、かつこのように一体化された構造が像側で第２載置部（載置面）１２で係止された場合、上記の構成においては、弾性部材３０がこの膨張量（力）を吸収することができる。
【００４５】
この場合、第２レンズＬ２の物体側の面Ｌ２Ｒ１と第１レンズＬ１の像側の面Ｌ１Ｒ２の間隔が変動するが、この間隔の変動がレンズユニット１の結像特性に与える影響は、最も像側にある接合レンズ（像側レンズ）Ｌ６０と撮像素子１００（像面）の間の間隔の変動が結像特性に与える影響よりも小さい。一方、接合レンズＬ６０の鏡筒１０に対する位置は、第２載置部１２で定まるため、変化を抑えられる。このため、このレンズユニット１において、熱膨張差に起因してレンズ系に力が加わった場合には、この弾性部材３０で吸収されることによって、レンズ系が安定して鏡筒１０に対して固定される。この際、特に結像特性に大きな影響を及ぼす接合レンズＬ６０の位置は変動を抑制できるため、良好な結像特性を維持することができる。また、接合レンズＬ６０の光軸Ａ方向における位置は、第２載置部１２のみによって定まるため、接合レンズＬ６０と撮像素子１００までの間隔の製造によるばらつきも低減することができる。
【００４６】
また、このレンズユニット１において、第１レンズＬ１の光軸Ａ方向の位置は、像側で第１載置面１１により物体側で第１レンズ係止部１３により定まることにより、鏡筒１０に対して固定される。このため、温度変動に際して、全てのレンズは安定して鏡筒１０に対して固定される。
【００４７】
図３は、このレンズユニット１の分解斜視図であり、ここでは、図１で記載が省略された絞り６０、遮光板６１も記載されている。ここでは、接合レンズＬ６０、第５レンズ体Ｌ５０、絞り６０、第４レンズＬ４、第３レンズＬ３、遮光板６１、第２レンズＬ２、弾性部材３０、Ｏリング２０、第１レンズＬ１が図中上側（物体側）から鏡筒１０に対して順次装着される。図示されるように、弾性部材３０、Ｏリング２０は、環状に形成される。また、絞り６０は、第５レンズ体Ｌ５０と第４レンズＬ４の位置関係を前記の通りとした状態で第５レンズ体Ｌ５０と第４レンズＬ４の間に配され、遮光板６１は、第３レンズＬ３と第２レンズＬ２の位置関係を前記の通りとした状態で第３レンズＬ３と第２レンズＬ２の間に配される。
【００４８】
図４は、レンズユニット１を製造する際の途中の状態を示す斜視図であり、図４（ａ）は、鏡筒１０に対して接合レンズＬ６０を設置する際の状況を示す斜視図である。ここでは、前記の通り、接合レンズＬ６０は、第２載置部１２の上に載置される。その上に、第５レンズ体Ｌ５０、絞り６０、第４レンズＬ４、第３レンズＬ３、遮光板６１、第２レンズＬ２、弾性部材３０が順次載置される。
【００４９】
その後、図４（ｂ）に示されるように、Ｏリング２０を介して、第１載置面１１に第１レンズＬ１が、弾性部材３０と当接するように載置される。その後、鏡筒１０における第１収容部１０Ａの上端部側が加工されて第１レンズ係止部１３とされ、第１レンズＬ１が固定される。
【００５０】
また、前記のように、第２収容部１０Ｂの内面と当接する接合レンズＬ６０（第６レンズＬ６）、第５レンズ体Ｌ５０（レンズホルダ５１）、第２レンズＬ２の外周面（第６レンズ外周面Ｌ６Ｂ、第５レンズ体外周面Ｌ５０Ｃ、第２レンズ外周面Ｌ２Ｃ）は、いずれも、その光軸Ａ周りの内径が像側に向かって徐々に小さくなるような略円錐面形状に形成されている。これにより、これらを第２収容部１０Ｂ内に挿入、設置する作業が容易となる。また、各段差部（係合構造）を、光軸Ａと平行な面と光軸Ａと垂直な（交差する）面で構成することにより、各レンズを装着する際に段差部同士を係合させることが容易となる。
【００５１】
この際、前記のように、第５レンズ体５０においては、第５レンズ体外周面Ｌ５０Ｃの最も像側の部分が第２収容部１０Ｂの内面に圧入される圧入部となる。このため、第５レンズ体５０を第２収容部１０Ｂに圧入するに際しては、第５レンズ体５０（レンズホルダ５１）に対してこの圧入部から力が加わる。前記のように、第５レンズ体５０の圧入後に第４レンズＬ４が第２収容部１０Ｂの内面に設置され、この際に段差部Ｌ４Ｂと段差部Ｌ５０Ａとが係合することによって、第４レンズＬ４の第５レンズ体５０に対する光軸Ａと垂直な方向の位置関係が定まる。この際、段差部Ｌ５０Ａにこの圧入の際の力が及ぶと、この位置精度に悪影響が及ぶ可能性がある。また、温度変化に際しての熱膨張差が発生した場合においても、同様に圧入部に力が加わるため、同様の問題が発生する可能性がある。
【００５２】
図５は、図１における段差部Ｌ５０Ａ、圧入部ＰＰ（第５レンズ体外周面Ｌ５０Ｃ）付近を拡大した図である。図５に示されるように、段差部Ｌ５０Ａは、光軸Ａからみた径方向において圧入部ＰＰから離間している。また、段差部Ｌ５０Ａにおける段差部Ｌ４Ｂと係合する部分は、光軸Ａ方向においても前記の圧入部ＰＰよりも物体側にあり、圧入部ＰＰから離間している。これにより、圧入部ＰＰに力が加わった場合でも、第４レンズＬ４の光軸Ａと垂直な方向の位置精度に及ぼす悪影響を低減することができる。
【００５３】
なお、上記の例においては、第２レンズ外周面Ｌ２Ｃが第２収容部１０Ｂの内面と当接することにより、光軸Ａと垂直な方向における第２レンズＬ２の鏡筒１０に対する位置関係が定められるものとした。しかしながら、この方向における位置が他のレンズ（第３レンズＬ３、第４レンズＬ４を介した第５レンズ体Ｌ５０等）によって、前記と同様の係合構造を用いて定められていれば、第３レンズＬ３等の場合と同様に、第２レンズ外周面Ｌ２Ｃと第２収容部１０Ｂの内面との間を非接触としてもよい。
【００５４】
この点については、第５レンズ体Ｌ５０についても、同様である。第５レンズ体Ｌ５０の光軸Ａと垂直な方向における鏡筒１０に対する位置関係が、他のレンズ（接合レンズＬ６０）によって定められていれば、第５レンズ体外周面Ｌ５０Ｃと第２収容部１０Ｂの内面との間を非接触としてもよい。
【００５５】
前記のような熱膨張差によるレンズ系に対する影響は、各レンズ（レンズホルダ５１を含む）や、鏡筒１０を構成する材料に依存する。ここで、鏡筒１０の材料としては、結晶性プラスチック（ポリエチレン、ポリアミド、ポリテトラフルオロエチレン）が好ましく用いられる。一方、特に鏡筒１０と非接触とされ光軸Ａの方向で隣接するレンズと当接することによって位置が定まる第３レンズＬ３、第４レンズＬ４は、レンズとしての性能（光透過性や成形性）に優れる非晶性プラスチック（ポリカーボネート等）で構成される。また、第５レンズ体Ｌ５０におけるレンズホルダ５１も、同様の非晶性プラスチックで構成することが好ましい。この場合、鏡筒１０と、これらのレンズとの間には熱膨張差が発生する。また、第１レンズＬ１、第５レンズＬ５を構成するガラスの熱膨張係数はこれらのプラスチック材料よりも小さい。このため、こうした場合に上記の構成は特に有効である。
【００５６】
なお、上記の例においては、第２収容部１０Ｂの内面と当接する第６レンズ外周面Ｌ６Ｂ、第５レンズ体外周面Ｌ５０Ｃ、第２レンズ外周面Ｌ２Ｃは、いずれも、その光軸Ａ周りの内径が像側に向かって徐々に小さくなるような略円錐面形状であるものとした。しかしながら、これらの外周面の形状は、各レンズの光軸Ａと垂直な方向における位置が鏡筒に対して固定可能な限りにおいて、任意である。例えば、各レンズの外周における３か所以上で第２収容部の内面と当接するように、各レンズの外周、あるいは第２収容部の内面の形状を設定することもできる。この際、各レンズの第２収容部への設置が容易となるような形状を適宜設定することができる。
【００５７】
なお、上記の例では、弾性部材３０がＯリング２０と同様の環状とされたが、同様に第１レンズＬ１と第２レンズの間に介在可能となる限りにおいて、その形状は任意であり、例えば周方向で弾性部材が一体化されている必要はない。しかしながら、上記のように弾性部材３０を環状とすることによって、組み立て、装着が特に容易となる。また、前記の例においては、弾性部材３０が第１レンズＬ１と第２レンズＬ２の間に設けられたが、他のレンズ間に弾性部材を設けることもできる。この場合、前記の第１レンズＬ１・第２レンズＬ２間のように、間隔の変動が結像特性に与える影響が小さなレンズ間に弾性部材を設けることが好ましい。この際、レンズ面の外側における物体側に弾性部材が載置可能なスペースがあるレンズに弾性部材が載置される。
【００５８】
（本形態の主な特徴）
本実施形態の特徴を簡単に纏めると次の通りである。
（１）このレンズユニット１においては、物体側から像側にかけて光軸Ａに沿って、最も物体側となる第１レンズＬ１、第１レンズＬ１と像側で隣接する第２レンズＬ２、最も像側となる接合レンズ（像側レンズ）Ｌ６０を含む複数のレンズが積層されて鏡筒１０に対して固定され、鏡筒１０には、第１レンズＬ１を物体側から像側に向けて収容する第１収容部１０Ａと、第１収容部１０Ａよりも像側に設けられ像側レンズＬ６０を収容する第２収容部１０Ｂと、が設けられ、第１レンズＬ１は、鏡筒１０に形成された第１レンズ係止部１３によって物体側で係止され、像側レンズＬ６０は、第２収容部１０Ｂの像側の底面である載置面１２に像側で係止され、第２レンズＬ２は、光軸Ａ方向において、直接的あるいは他のレンズを介して間接的に像側レンズＬ６０と当接し、光軸Ａ方向において、第１レンズＬ１と第２レンズＬ２の間には第１レンズＬ１及び第２レンズＬ２と接する弾性部材３０が配されている。
【００５９】
この構成においては、第１収容部１０Ａに収容された第１レンズＬ１は物体側において第１レンズ係止部１３に係止される。一方、第２収容部１０Ｂに収容された像側レンズＬ６０は鏡筒１０側の載置面１２により像側で係止され、かつ第２レンズＬ２は直接的、あるいは他のレンズを介して間接的に、光軸Ａ方向で像側レンズＬ６０と当接する。このため、第２レンズＬ２及び像側レンズＬ６０は実質的に像側では載置面１２で係止され、その像側への移動は抑制される。一方、温度変化に際して、第２レンズＬ２、像側レンズＬ６０を含む複数のレンズが膨張しても、この膨張量が弾性部材３０で吸収される。このため、温度変化がある場合にもレンズ間にガタが発生することが抑制され、かつ、像面（撮像素子１００）と像側レンズＬ６０の間の間隔の変動を抑制できるために、良好な結像特性が維持される。
【００６０】
（２）鏡筒１０は結晶性プラスチックで構成され、複数の前記レンズの中に、光軸Ａ方向において、第１レンズＬ１と像側レンズＬ６０の間に配され、光軸Ａの周りの外周部が鏡筒１０と接することにより鏡筒に対する光軸Ａと垂直な方向における位置が定まる接触レンズと、光軸Ａ方向において、第１レンズＬ１と像側レンズＬ６０の間に配され、外周部が鏡筒１０と非接触とされ、非晶性プラスチックで構成された非接触レンズと、が設けられ、接触レンズと非接触レンズとが光軸Ａ方向において隣接し、この接触レンズのこの非接触レンズ側の面に形成された係合構造と、この非接触レンズのこの接触レンズ側の面に形成された係合構造とが係合することによって、鏡筒１０に対するこの非接触レンズの光軸Ａと垂直な方向における位置関係が定まる構成とされている。
【００６１】
鏡筒１０と、複数のレンズからなるレンズ系との間には熱膨張差が発生するが、このように接触レンズと非接触レンズをレンズ系において設定することにより、接触レンズの鏡筒１０に対する光軸Ａに垂直な方向の位置関係を固定することができる一方で、非接触レンズと鏡筒１０との間の熱膨張差がレンズ系の光軸Ａに垂直な方向の位置関係に及ぼす影響を排除することができる。この際、このように接触レンズと隣接する非接触レンズとの間をこのような係合構造を用いて、非接触レンズの接触レンズあるいは鏡筒１０に対する光軸Ａに垂直な方向の位置関係を定めることができる。
【００６２】
（３）２つの非接触レンズ（第３レンズＬ３、第４レンズＬ４）が光軸Ａ方向において隣接し、これらの非接触レンズにおける対向する面に形成された係合構造（Ｌ３Ｂ、Ｌ４Ａ）同士が係合することにより、これらの非接触レンズ同士の光軸Ａと垂直な方向における位置関係が定まり、かつこれらの非接触レンズのうちの一方（第４レンズＬ４）が接触レンズ（第５レンズ体Ｌ５０）と隣接することにより、接触レンズ（第５レンズ体Ｌ５０）に対する非接触レンズ（第４レンズＬ４）の光軸Ａと垂直な方向における位置関係が定まる構成とされている。
この場合には、接触レンズ（第５レンズ体Ｌ５０）と隣接しない非接触レンズ（第３レンズＬ３）の光軸Ａと垂直な方向における位置が、この非接触レンズ（第３レンズＬ３）と隣接する他の非接触レンズ（第４レンズＬ４）を介して接触レンズ（第５レンズ体Ｌ５０）によって定まる。このため、レンズ系において、接触レンズの数を少なく、非接触レンズの数を多くすることができ、温度変動がある場合のレンズ系と鏡筒の熱膨張差に起因して、レンズと鏡筒１０の膨張や収縮の差によりレンズに歪みが発生してしまうことを防ぐことができる。
【００６３】
（４）係合構造は、光軸Ａと平行な面と光軸Ａと交差する面で形成された段差部Ｌ２Ｂ、Ｌ３Ａ、Ｌ３Ｂ、Ｌ４Ａ、Ｌ４Ｂ、Ｌ５０Ａである。
これにより、組み立ての際に、レンズの係合構造同士を係合させることが容易となる。
（５）接触レンズ（第５レンズ体Ｌ５０）において、外周部（第５レンズ体外周面Ｌ５０Ｃ）における鏡筒１０と接する部分である圧入部ＰＰと、係合構造（段差部Ｌ５０Ａ）とは、光軸Ａ方向、及び光軸Ａからみた径方向において、異なる位置に設けられている。
これにより、接触レンズ（第５レンズ体Ｌ５０）の圧入時や温度変動があった際に圧入部ＰＰに力が加わっても、圧入部ＰＰと段差部Ｌ５０Ａが離間しているため、段差部Ｌ５０Ａを介して固定される非接触レンズ（第４レンズＬ４）と接触レンズ（第５レンズ体Ｌ５０）の位置関係はこれによる悪影響を受けにくくなる。
【００６４】
（６）接触レンズ（第５レンズ体Ｌ５０）における光軸Ａを中心とした外径が物体側から像側に向けて小さくなるように設定された外周面Ｌ５０Ｃが、鏡筒１０と接する。
これにより、接触レンズ（第５レンズ体Ｌ５０）の第２収容部１０Ｂへの挿入、装着が特に容易となる。
（７）接触レンズ（第５レンズ体Ｌ５０）は、ガラスレンズ（第５レンズＬ５）と、これを光軸Ａの外側から支持し外周面（第５レンズ体外周面Ｌ５０Ｃ）を有する樹脂材料製のレンズホルダ５１と、を具備する。
これにより、ガラス製の（第５レンズＬ５）を用いた場合でも、第５レンズＬ５とレンズホルダ５１とが一体化されたレンズ体（第５レンズ体Ｌ５０）を、他の樹脂材料製のレンズ（プラスチックレンズ）と同様に扱うことができ、例えばこのレンズ体（第５レンズ体Ｌ５０）を接触レンズとして用いることができる。
【００６５】
（８）非接触レンズとして、第２レンズＬ２の像側で第２レンズＬ２と隣接する第３レンズＬ３と、接触レンズ（第５レンズ体Ｌ５０）の物体側で接触レンズ（第５レンズ体Ｌ５０）と隣接し、かつ第３レンズＬ３の像側で第３レンズＬ３と隣接する第４レンズＬ４を具備し、像側レンズＬ６０は、接触レンズ（第５レンズ体Ｌ５０）の像側で接触レンズ（第５レンズ体Ｌ５０）と隣接する。
（９）像側レンズＬ６０は、２つのプラスチックレンズ（第６レンズＬ６、第７レンズＬ７）が光軸Ａ方向で接合された接合レンズである。
このように第３レンズＬ３、第４レンズＬ４、接合レンズＬ６０を上記のレンズ系の中で用いることにより、良好な光学特性をもつレンズユニット１を形成することができる。
【００６６】
なお、上記の例以外でも、上記のような弾性部材、あるいは接触レンズ、非接触レンズを含むレンズ系を構成することが可能である。この際、レンズ系における接触レンズや非接触レンズの数は任意である。
【００６７】
本発明を、実施形態及びその変形例をもとに説明したが、この実施形態は例示であり、それらの各構成要素の組み合わせ等にいろいろな変形例が可能なこと、またそうした変形例も本発明の範囲にあることは当業者に理解されるところである。
【符号の説明】
【００６８】
１  レンズユニット
１０  鏡筒
１０Ａ  第１収容部
１０Ｂ  第２収容部
１１  第１載置部
１２  第２載置部（載置面）
１３  第１レンズ係止部
２０  Ｏリング
３０  弾性部材
５１  レンズホルダ
６０  絞り
６１  遮光板
１００  撮像素子
Ａ  光軸
Ｉｍ  像（側）
Ｌ１  第１レンズ
Ｌ１Ａ  第１レンズ第１下面
Ｌ１Ｂ  第１レンズ第２下面
Ｌ１Ｃ  第１レンズ外周面
Ｌ２  第２レンズ
Ｌ２Ａ  第２レンズ第１上面
Ｌ２Ｂ、Ｌ３Ａ、Ｌ３Ｂ、Ｌ４Ａ、Ｌ４Ｂ、Ｌ５０Ａ  段差部（係合構造）
Ｌ２Ｃ  第２レンズ外周面
Ｌ３  第３レンズ
Ｌ３Ｃ  第３レンズ外周面
Ｌ４  第４レンズ
Ｌ４Ｃ  第４レンズ外周面
Ｌ５  第５レンズ
Ｌ６  第６レンズ
Ｌ６Ａ  接合レンズ上面
Ｌ６Ｂ  接合レンズ下面
Ｌ６Ｃ  第６レンズ外周面
Ｌ７  第７レンズ
Ｌ５０  第５レンズ体
Ｌ５０Ｂ  突出部
Ｌ５０Ｃ  第５レンズ体外周面
Ｌ６０  接合レンズ（像側レンズ）
Ｏｂ  物体（側）
ＰＰ  圧入部
Ｒ１  第１表面
Ｒ２  第２表面
【図１】
2020154119.tif 000003
【図２】
2020154119.tif 000004
【図３】
2020154119.tif 000005
【図４】
2020154119.tif 000006
【図５】
2020154119.tif 000007